(57)【要約】【課題】 油彩絵具で描いた場合であっても、紙の裏面まで浸透することなく作品の長期保存が可能であり、パステルなど粉末状の絵具を使用する場合にも事前のコート処理を要せず、低コストで、且つ特別な廃棄処理の必要のないキャンバス代用支持体を提供する。【解決手段】紙製支持体に揮発性の溶剤溶解型油性塗料で絶縁層を形成し、該絶縁層上に水性アクリル塗料をシルクスクリーン印刷で塗布して形成した地塗層を具備してなり、地塗層の上に更に一層若しくは二層以上の地塗層を形成したり、揮発性の溶剤溶解型油性塗料はポリエステル系樹脂を溶剤に溶解してなる塗料としたり、絶縁層をシルクスクリーン印刷で塗布して形成したりすることを特徴とする。【選択図】図１
0003181028.tif 000002
【実用新案登録請求の範囲】
【請求項１】
紙製支持体に揮発性の溶剤溶解型油性塗料で絶縁層を形成し、該絶縁層上に水性アクリル塗料をシルクスクリーン印刷で塗布して形成した地塗層を具備してなるキャンバス代用支持体。
【請求項２】
地塗層の上に、更に一層若しくは二層以上の地塗層を形成してなる請求項１のキャンバス代用支持体。
【請求項３】
揮発性の溶剤溶解型油性塗料は、ポリエステル系樹脂を溶剤に溶解してなる塗料である請求項１又は請求項２のキャンバス代用支持体。
【請求項４】
絶縁層は、シルクスクリーン印刷で塗布して形成した請求項１乃至請求項３のいずれかのキャンバス代用支持体。
【考案の詳細な説明】
【技術分野】
【０００１】
本考案は、油彩、水彩、鉛筆類、パステルなど多様な描画材に適応した支持体に関し、特に紙製のキャンバス代用支持体に関する。
【背景技術】
【０００２】
麻布や綿布といった布製キャンバスに代わる習作用支持体として、手軽なペーパーキャンバスが知られている。使用者は、紙の上に直接、絵具をのせると絵具の油分や水分が染み込んでしまうことから、通常、使用する絵具に合わせて支持体表面の吸収性を調整する。吸収性のよい地塗層（水性地）や非吸収性の地塗層（油性地）としたりするほか、最近ではアクリル絵具と油絵具の両方に使用できる半吸収性の地塗層（エマルジョン地）が一般的である。
【０００３】
また、予め地塗処理が施された紙製キャンバスが公知である。当該紙製キャンバスは、エンボス加工により生地のキャンバス目を再現することで布製キャンバスの風合いを残し、表面を水性アクリル系コート剤でコーティングして耐水性を備えた支持体である。
基材が紙製なので安価で軽量なうえ、布製キャンバスに比べて作品の保管や移動が容易であるという利点がある。
【０００４】
更に、紙製キャンバスのその他の形態として、紙製基材の上に、例えば金、銀、アルミニウムといった金属の薄層を設け、当該金属薄層の表面に絵具の吸収性を調整した紙製の表層を設けたことを特徴とする油絵、アクリル絵の描画に適した描画用シート材が知られている（特許文献１）。
【０００５】
当該シート材は、金属薄層により油、水が遮断されることから紙製基材の劣化を防ぐことが可能な耐久性を重視した画材である。
【先行技術文献】
【特許文献】
【０００６】
【特許文献１】再表９９/０４７３６７
【考案の概要】
【考案が解決しようとする課題】
【０００７】
水分の吸い込み調整がなされていないペーパーキャンバスの場合や、使用する絵具に適した地塗層となっていないペーパーキャンバスの場合には、所望の絵具の固着を担保するため、使用者が、事前にコート剤を筆や刷毛で当該キャンバス表面に塗布しなければならない。しかし、これらの事前準備は面倒であり、不慣れな手習者にとっては特に創作意欲を萎えさせる一因となっていた。
また、扱い易さから、当該コート剤には水性のものが一般に使用されているところ、コート剤が乾燥する前に当該コート剤に含まれる水分が紙に浸透してしまい、支持体自身が反り返って変形することも問題視されてきた。
【０００８】
前記エンボス加工により生地のキャンバス目を再現した紙製キャンバスによれば、水彩絵具の使用には問題ないが、油彩絵具を使用した場合には、絵具に含まれる油分が紙の裏面まで浸透してしまい、紙の腐食を進め、作品保存の点で致命的な欠陥であると指摘されてきた。
【０００９】
特許文献１に記載の金、銀、銅、アルミ等の金属薄層を具備した技術によれば、これら金属が材料費を押上げる原因となっているほか、廃棄時の金属廃棄物処理という環境問題への対応も考慮しなければならない。
【００１０】
そこで本考案の目的は、イ）不慣れな手習者であっても直ちに絵画制作に取り掛かることができるよう事前に地塗調整を施したキャンバス支持体であって、ロ）油彩絵具で描いた場合であっても、紙の裏面まで浸透することなく作品の長期保存ができるという描画材を選ばない地塗層を設けた支持体であり、ハ）低コストで、且つ特別な廃棄処理の必要のない支持体を提供することを課題とする。
【課題を解決するための手段】
【００１１】
上記課題を解決するため、請求項１に係るキャンバス代用支持体は、紙製支持体に揮発性の溶剤溶解型油性塗料で絶縁層を形成し、該絶縁層上に水性アクリル塗料をシルクスクリーン印刷で塗布して形成した地塗層を具備してなることを特徴とする。
【００１２】
請求項２に係るキャンバス代用支持体は、請求項１に記載の構成において、地塗層の上に、更に一層若しくは二層以上の地塗層を形成してなることを特徴とする。
【００１３】
請求項３に係るキャンバス代用支持体は、請求項１又は請求項２の構成において、揮発性の溶剤溶解型油性塗料が、ポリエステル系樹脂を溶剤に溶解してなる塗料であることを特徴とする。
【００１４】
請求項４に係るキャンバス代用支持体は、請求項１乃至請求項３のいずれかの構成において、絶縁層が、シルクスクリーン印刷で塗布して形成したことを特徴とする。
【考案の効果】
【００１５】
請求項１に記載のキャンバス代用支持体によれば、絶縁層に揮発性の溶剤溶解型油性塗料を使用したことにより、紙製基材に水分が浸透する前に揮発するため、支持体が反ることがない。また油性塗膜により強靭な目止め効果が得られ、作品の長期保存に資することとなった。また、地塗層の形成にシルクスクリーン印刷を使用することにより、吹き付け塗装のような粗面とならず、ピンホールができることもなく均一に塗布することができる。そして、一般に相性の良くない油性の絶縁層上に水性アクリル塗料という地塗層を、剥離することなく塗布することが可能となった。
そして、紙製の支持体という安価で取り扱い容易なこのキャンバスは、水性アクリル塗料という地塗層により油彩・水彩・パステルなど描画材を問わずに使用可能な支持体となった。
【００１６】
請求項２に記載のキャンバス代用支持体によれば、複数層の地塗層を設けることで、一層、均一な仕上がりとなるほか、支持体としてより適した厚みを確保することができた。
【００１７】
請求項３に記載のキャンバス代用支持体によれば、ポリエステル系樹脂を絶縁層の塗膜成分として利用することで、当該絶縁層上に塗布する水性アクリル塗料との固着性をアップすることが可能となった。
【００１８】
請求項４に記載のキャンバス代用支持体によれば、絶縁層をシルクスクリーン印刷で塗布したことで、小ロットでも、均一にムラ無く目止め処理することが可能となり、結果、当該絶縁層上に塗布する水性アクリル塗料の投錨効果も向上することとなった。
【図面の簡単な説明】
【００１９】
【図１】第一の実施形態のキャンバス代用支持体の構成を示す概念図である。
【図２】第二の実施形態のキャンバス代用支持体の構成を示す概念図である。
【考案を実施するための形態】
【００２０】
〔第一の実施形態〕
以下、本考案の第一の実施形態について図１を参照しながら説明する。    
本実施の形態は、基材の片側面に揮発性の溶剤溶解型油性塗料で絶縁層を設け、当該絶縁層上に水性アクリル塗料を塗布して二層の地塗層を設けてなるキャンバス代用支持体である。
【００２１】
図中、１は本実施形態におけるキャンバス代用支持体、１０は紙製の基材、１１は絵具が基材に浸透しないよう目止め処理を施した絶縁層、１２は地塗層１、１３は地塗層２である。
【００２２】
本実施形態に係るキャンバス代用支持体の大きさは、スケッチブックサイズでいうＦ４サイズ（３３３ｍｍ×２４２ｍｍ）としたが、Ｆ６（４１０ｍｍ×３１８ｍｍ）やＦ８（４５５ｍｍ×３８０ｍｍ）などその他の規格サイズのほかＢ５、Ａ４といったＡ・Ｂ規格サイズ、八つ切り、四つ切といった画用紙サイズ、更には需要に応じて規格外のサイズとしてもよい。
以下、本実施形態におけるキャンバス代用支持体の各構成要素及びその製造方法について詳述する。
【００２３】
基材（１０）は、軽量で、且つ安価な点を評価して紙製とした。連量は、四六判で２６５ｋｇの非塗工紙（ケント紙）を採用し、ある程度の厚みを確保することした。これにより支持体に自立性を持たせて取り扱いを容易に、完成した作品をそのままデッサン額に額装できるという利点も考慮した。
【００２４】
基材（１０）に非塗工紙を採用したのは、基材表面に絶縁層や地塗層を塗布することから高価な塗工紙を積極的に採用する理由がないからであるが、特に塗工紙の使用を排除するものではない。
【００２５】
なお、本考案において好ましい連量は、四六判で２２５ｋｇ〜３１０ｋｇとするが、本考案の用途、目的に適う限り、必要に応じてこれを変更することは妨げない。
【００２６】
絶縁層（１１）は、目止め処理として設けるものである。例えば、油絵具を紙や布などの支持体に直接描いた場合、絵具の油分が支持体に吸い込まれることとなる結果、染みとなったり、絵具の特徴的な艶が失せたり、油の酸化により紙の繊維を傷めることとなる。したがって、描画前の下準備として目止め処理が広く行われている。
本考案においては、揮発性の溶剤溶解型油性塗料を採用した。
【００２７】
一般的な描画用油性塗料は、酸化重合タイプであり、これを目止め剤として塗布した場合には紙を傷めることが懸念されるため、前述したとおり通常は水性塗料によることが多い。しかし、水性塗料は乾燥する前に紙へ浸透してしまい、紙が反り返ってしまうことが問題とされてきた。そこで、本考案は、紙が反ることなく、且つ紙を傷めない目止め処理剤として、乾燥に時間を要する従来の酸化重合タイプの油性塗料に代えて揮発性の溶剤溶解型油性塗料を目止め剤として採用することとした。
塗料の乾燥機構は、揮発乾燥型、酸化重合型、熱縮合型、冷却乾燥などいくつかの乾燥タイプに分かれるところが、本考案においては、溶剤が蒸発するだけでそのまま塗膜成分が固化乾燥するタイプの塗料を採用した。
【００２８】
また、水性塗料による目止めに比べて油性塗料によれば形成される塗膜がより強靭となり目止め効果が高く非吸収性の好適な支持体が得られる。  
【００２９】
絶縁層（１１）の成分は、次に示すとおりであり、適宜配合して使用する。
シクロヘキサノン  ２０．０％〜４０．０％
芳香族炭化水素系溶剤  １．０〜３０．０％
多価アルコール系溶剤  １．０〜１５．０％
グリコールエーテル系溶剤  ０．０〜５０．０％
着色顔料  １０．０〜４０．０％
ポリエステル系樹脂  １０．０〜４０．０％
補助剤  ５．０〜１５．０％
なお、本考案の用途、目的に適う限り、必要に応じて各成分を他の同等成分と置き換えることを妨げない。
【００３０】
絶縁層（１１）を設けるに際しては、シルクスクリーン印刷により基材（１０）上に前記揮発性の溶剤溶解型油性塗料を厚み３０ミクロン乃至３５ミクロン程度に塗布する。本実施の形態においては、３２ミクロンの厚みとした。
また、スクリーンメッシュは９０番のものを採用したが、本考案の用途、目的に適う限り、必要に応じてこれを変更することは妨げない。
【００３１】
塗膜成分の候補としてポリエステル系樹脂のほか、ポリウレタン系樹脂やエポキシ系樹脂もテストしたが、クロスカットテストなどにより、水性アクリル塗料で形成した地塗層の固着が最も安定していたポリエステル系樹脂を採用した。
なお、本考案の用途、目的に適う限り、ポリエステル系樹脂に代えてこれと同等のエステル化合物若しくはその他同等の化合物と置き換えることは妨げない。
【００３２】
地塗層１（１２）及び地塗層２（１３）は、基材の凹凸をなくすとともに筆の運びを良くするために設けるものである。基材（１０）に用いるケント紙は、塗工紙のようにパルプ繊維が絡み合って起こる多少の凹凸表面を白色顔料等でコーティング処理を施していない非塗工紙である。よって、目止め処理をしてもなお残る凹凸を、水性アクリル塗料で地塗層を形成して平滑な表面に仕上げ、また、支持体として好ましい厚みを確保すべく設けるものである。
【００３３】
絶縁層１（１２）及び地塗層２（１３）に用いる公知の水性アクリル塗料の成分は、次に示すとおりであり、適宜配合して使用する。
顔料
炭酸カルシウム
メタクリル酸メチル・アクリル酸ブチル
共重合物（アクリル樹脂エマルジョン）
ポリカルボン酸ソーダ（分散剤）
プロピレングリコール（湿潤凍結安定剤）
ポリアクリル酸（増粘剤）
ジメチルアミノエタノール（ＰＨ調整剤）
ベンツイミダゾール化合物（防黴剤）
チアゾール化合物（防腐剤）
水
顔料の粒子径はおよそ２０μのものを使用したが、本考案の用途、目的に適う限り、必要に応じて適宜変更してよく、また、各成分を他の同等成分と置き換えることを妨げない。
【００３４】
地塗層１（１２）を設けるに際しては、シルクスクリーン印刷により絶縁層（１１）上に前記水性のアクリル塗料を厚み１８ミクロン程度に塗布する。なお、当該塗料の厚みはこれに限られるものではなく、本考案の用途、目的に適う限り、必要に応じて所望の厚みとすることを妨げるものではない。
【００３５】
更に、地塗層２（１３）を設けるに際しても、シルクスクリーン印刷により地塗層１（１２）上に前記水性のアクリル塗料を厚み１８ミクロン程度に塗布する。なお、当該塗料の厚みはこれに限られるものではなく、本考案の用途、目的に適う限り、必要に応じて所望の厚みとすることのほか、地塗層１（１２）と地塗層２（１３）の厚みに差を設けることを妨げるものではない。
【００３６】
地塗層１（１２）及び地塗層２（１３）を設けるに際して行うシルクスクリーン印刷では、スクリーンメッシュは１５０番のものを採用したが、本考案の用途、目的に適う限り、必要に応じてこれを変更することは妨げない。
【００３７】
なお、本実施の形態においては、地塗層を二層形成したが、これに限られるものではなく、表面の仕上がり具合、地塗りの厚み、コストに応じて三層、若しくはそれ以上の回数を重ねることを妨げない。
【００３８】
本実施形態のキャンバス代用支持体は、紙製の支持体という安価で取り扱い容易という点に加え、強靭な目止め効果を呈し、作品の長期保存に資する。更に、油性の絶縁層上の水性アクリル塗料による地塗層が剥離することなく、当該地塗層は平滑で、一定の塗膜厚を確保してピンホールも生じることがない。また、二層の地塗層を設けたことからより一層、均一な表面仕上がりとなり、支持体として好ましい厚みを確保した結果、商品価値を高めることができた。
【００３９】
〔第二の実施形態〕
次に、本考案の第二の実施形態について図２を参照しながら説明する。  
本実施の形態は、第一の実施形態における構成を基材（２１）の両面に設けてなるキャンバス代用支持体に関するものである。
【００４０】
図中、２は本実施形態における本考案のキャンバス代用支持体、２０は紙製の基材、２１は絵具が基材に浸透しないよう目止め処理を施した絶縁層、２２は地塗層１、２３は地塗層２である。
【００４１】
両面に所望の層構造を設けた以外は、第一の実施形態におけるキャンバス代用支持体と同じである。
製造工程としては、一面につき絶縁層塗布工程〜地塗層１塗布工程〜地塗層２塗布工程を経た後、他面につき絶縁層塗布工程〜地塗層１塗布工程〜地塗層２塗布工程とする方法のほか、両面につき絶縁層塗布工程〜両面につき地塗層１塗布工程〜両面につき地塗層２塗布工程としてもよく、設備環境に合わせて適宜製造することとしてよい。
【００４２】
本実施形態によれば、先の第一の実施形態がもたらす効果に加え、両面に描画が可能となり、利用価値が高まり一層好ましいキャンバス代用支持体を提供することが可能である。
【００４３】
なお、第二の実施形態の変形例として、一方の面の地塗層を二層とし、他方の面の地塗層を三層とするなど、両面の地塗層の層数を異なることとしてもよい。地塗層の層数に応じて適した絵具等の描画材がある場合には、一枚のキャンバス代用支持体でこれに対応可能となることから、需要者のニーズに広く応えることが可能となる。
【産業上の利用可能性】
【００４４】
本考案のキャンバス代用支持体は、熟練者のみならず、新たに絵画を始めようとする手習者にとっては手軽に利用できるキャンバス代用支持体として有効であることから、絵画人口の増加の一翼を担う。また、絵画用サイズに留まらず、これを例えば建物の内壁全面に亘る大きさとすることで、建築物における内装デザインの観点で更なる可能性を追求できることから、関連分野における産業上の利用可能性にも資する考案であるといえる。
【符号の説明】
【００４５】
１，２  キャンバス代用支持体
１０，２０  基材
１１，２１  絶縁層
１２，２２  地塗層１
１３，２３  地塗層２
【図１】
0003181028.tif 000003
【図２】
0003181028.tif 000004